(57)【要約】【課題】無駄なトナー消費を抑え、画像調整によるダウンタイムを短縮し、画像形成時の濃度を安定化させることができる画像形成装置を提供すること。【解決手段】それぞれ異なる色の現像剤を有する現像器を複数備え、前記複数の現像器を使用して像担持体上に画像を形成する画像形成手段と、画像形成時に各色毎にトナー消費量を積算する積算手段と、前記複数の現像器を用いて画像形成する第１モードと、前記複数の現像器中の特定色を用いて画像形成する第２モードと、前記第２のモード実行中に前記積算値が所定の閾値を超えた際には、前記特定色の調整制御を行い、前記第１のモード実行中に前記積算値の何れか１つの値が所定の閾値を超えた際には、前記複数色の調整制御を行う調整手段とを含んで画像形成装置を構成する。【選択図】図１
2006119504.tif 000002
【特許請求の範囲】
【請求項１】
それぞれ異なる色の現像剤を有する現像器を複数備え、前記複数の現像器を使用して像担持体上に画像を形成する画像形成手段と、画像形成時に各色毎にトナー消費量を積算する積算手段と、前記複数の現像器を用いて画像形成する第１モードと、前記複数の現像器中の特定色を用いて画像形成する第２モードと、前記第２のモード実行中に前記積算値が所定の閾値を超えた際には、前記特定色の調整制御を行い、前記第１のモード実行中に前記積算値の何れか１つの値が所定の閾値を超えた際には、前記複数色の調整制御を行う調整手段とを備えたことを特徴とする画像形成装置。
【請求項２】
画像形成終了後の前記調整制御をする場合、画像形成開始から画像形成終了まで実行された前記モードに応じて前記調整を行う色を決定することを特徴とする請求項１記載の画像形成装置。
【請求項３】
前記第１モードは、全色を用いて画像形成を行うことを特徴とする請求項１又は２記載の画像形成装置。
【請求項４】
前記第２モードは、黒単色を用いて画像形成を行うことを特徴とする請求項１又は２記載の画像形成装置。
【請求項５】
前記トナー消費量を積算する手段として、形成画像の画素数を用いることを特徴とする請求項１又は２記載の画像形成装置。
【請求項６】
前記トナー消費量を積算する手段として、画像形成の回数を用いることを特徴とする請求項１又は２記載の画像形成装置。
【請求項７】
前記特定色又は前記複数色に対して行う前記調整制御は、前記現像器内のトナー濃度を調整する制御であることを特徴とする請求項１又は２記載の画像形成装置。
【請求項８】
前記特定色又は前記複数色に対して行う前記調整制御は、前記画像形成手段によって形成される形成画像の濃度を調整する制御であることを特徴とする請求項１又は２記載の画像形成装置。
【発明の詳細な説明】
【技術分野】
【０００１】
本発明は、電子写真方式を利用して記録材に画像形成を行う複写機、プリンタ等の画像形成装置に関する。
【背景技術】
【０００２】
電子写真式の画像形成装置においては、帯電チャージャにより一様に帯電された感光体ドラムを露光走査して静電潜像を形成して、これに現像器から帯電されたトナーを供給して顕像化し、顕像化された像（トナー像）を、転写装置の静電力により記録シート上に転写して画像を形成するように構成される。
【０００３】
このように静電作用を利用して画像を形成する構成において安定した画像濃度を得るためには、当該画像形成の各過程、特に静電潜像を顕像化する過程において静電力の作用する条件が一定に保たれていることが必要となるが、クリーニングブレードと接触して感光体ドラムの感光体層が摩耗することに起因する感光特性の変動や、装置環境、特に湿度の影響により生じるトナーの帯電量の変化等の様々な要因により、再現画像の濃度が安定しないという問題がある。
【０００４】
このような不都合を解消して再現画像の画質を安定させるため、従来から電子写真式画像形成装置においては、再現画像が劣化しないように各種の作像条件を調整する処理を一定の時間的間隔をおいて実行している。この画像の調整の例として、画像形成回数をカウントしておき、それが所定回数に到達すると、内部のメモリに格納された一定濃度の基準パターンの画像データに基づきレーザビームを駆動して感光体ドラム上を露光走査し、トナーで顕像化して基準パターンを形成し、この基準パターンの濃度を光電センサにより検出する。そして、検出された濃度をメモリ内の基準値と比較することにより、濃度データの通りに画像が再現できているか否かを判定する。もし、検出された濃度が基準パターンの画像データの濃度より小さければ、トナーの帯電量が低下していることになるので、画像濃度を適正にすべく帯電チャージャの電位を大きくしたり、現像器の現像ローラの電位と感光体ドラムの表面電位との差が大きくなるように現像バイアスを変化させ、反対に検出濃度がメモリ内の基準パターンの濃度値より高ければ、上記と反対の制御を行うことにより、画像濃度を一定に保つように制御している。
【０００５】
上述のようにカラー画像形成装置においては、４色用の現像器が必要となるので、再現画像の画質を維持するため、各トナー像の作像条件について上記画像安定化調整を行う必要がある。
【０００６】
【特許文献１】特開平１０−１８６７６９号公報
【発明の開示】
【発明が解決しようとする課題】
【０００７】
画像形成途中の紙間で濃度調整等の画像調整制御を行う場合、直前での画像形成動作の色モードに応じて行う。画像調整直前の画像形成が、ブラック（Ｂｋ）の場合は、Ｂｋのみで画像調整を行い、直前での画像形成がカラーの場合は、全色にて画像調整を行う。又、画像形成終了後（Ｃ（シアン）又はＢｋ単色、Ｃ混載）の後回転時の濃度調整に関しては、次の画像形成動作に備え、全色で行う制御にする。
【０００８】
このように画像調整を行う直前の画像形成動作の色モードに応じて、画像調整を行う色を設定することで、常に全色について基準パターンを作成して画像安定化調整を実行するような制御と異なり、カラー用トナーの消費を抑えることができる。
【０００９】
又、モノクロモードとカラーモードの切り替えの度に画像安定化調整を実行する制御では、大部分がモノクロの原稿の中にカラーの挿し絵やグラフ等の原稿をまばらに含む原稿束を自動原稿搬送装置（ＡＤＦ）で連続して読み込んで画像形成する場合では、モノクロモードからカラーモードへの切り替えが頻繁に行われ、カラーの画像安定化調整が無駄に繰り返されることになるので、トナーを無駄に消費することになる。
【００１０】
本発明は上記問題に鑑みてなされたもので、その目的とする処は、画像調整を行う直前の画像形成動作の色モードに応じて画像調整を行う色を設定することによって、無駄なトナー消費を抑え、画像調整によるダウンタイムを短縮し、画像形成時の濃度を安定化させることができる画像形成装置を提供することにある。
【課題を解決するための手段】
【００１１】
上記目的を達成するため、請求項１記載の発明は、それぞれ異なる色の現像剤を有する現像器を複数備え、前記複数の現像器を使用して像担持体上に画像を形成する画像形成手段と、画像形成時に各色毎にトナー消費量を積算する積算手段と、前記複数の現像器を用いて画像形成する第１モードと、前記複数の現像器中の特定色を用いて画像形成する第２モードと、前記第２のモード実行中に前記積算値が所定の閾値を超えた際には、前記特定色の調整制御を行い、前記第１のモード実行中に前記積算値の何れか１つの値が所定の閾値を超えた際には、前記複数色の調整制御を行う調整手段とを含んで画像形成装置を構成したことを特徴とする。
【００１２】
請求項２記載の発明は、請求項１記載の発明において、画像形成終了後の前記調整制御をする場合、画像形成開始から画像形成終了まで実行された前記モードに応じて前記調整を行う色を決定することを特徴とする。
【００１３】
請求項３記載の発明は、請求項１又は２記載の発明において、前記第１モードは、全色を用いて画像形成を行うことを特徴とする。
【００１４】
請求項４記載の発明は、請求項１又は２記載の発明において、前記第２モードは、黒単色を用いて画像形成を行うことを特徴とする。
【００１５】
請求項５記載の発明は、請求項１又は２記載の発明において、前記トナー消費量を積算する手段として、形成画像の画素数を用いることを特徴とする。
【００１６】
請求項６記載の発明は、請求項１又は２記載の発明において、前記トナー消費量を積算する手段として、画像形成の回数を用いることを特徴とする。
【００１７】
請求項７記載の発明は、請求項１又は２記載の発明において、前記特定色又は前記複数色に対して行う前記調整制御は、前記現像器内のトナー濃度を調整する制御であることを特徴とする。
【００１８】
請求項８記載の発明は、請求項１又は２記載の発明において、前記特定色又は前記複数色に対して行う前記調整制御は、前記画像形成手段によって形成される形成画像の濃度を調整する制御であることを特徴とする。
【発明の効果】
【００１９】
本発明によれば、濃度調整を行う色を直前の画像形成動作に応じて制御にすることで、画像形成途中のダウンタイムを削減し、ユーザビリティを向上させることができる。
【発明を実施するための最良の形態】
【００２０】
以下に本発明の実施の形態を添付図面に基づいて説明する。
【００２１】
図１は画像形成装置としてのフルカラープリンタの断面図であり、イエロー色の画像を形成する画像形成部１Ｙと、マゼンタ色の画像を形成する画像形成部１Ｍと、シアン色の画像を形成する画像形成部１Ｃと、ブラック色の画像を形成する画像形成部１Ｂｋの４つの画像形成部（画像形成ユニット）を備えており、これら４つの画像形成部１Ｙ，１Ｍ，１Ｃ，１Ｂｋは一定の間隔において一列に配置される。
【００２２】
各画像形成部１Ｙ，１Ｍ，１Ｃ，１Ｂｋには、それぞれ像担持体としてのドラム型の電子写真感光体（以下、感光ドラムと言う）２ａ，２ｂ，２ｃ，２ｄが設置されている。各感光ドラム２ａ，２ｂ，２ｃ，２ｄの周囲には、一次帯電器３ａ，３ｂ，３ｃ，３ｄ、現像装置４ａ，４ｂ，４ｃ，４ｄ、転写手段としての転写ローラ５ａ，５ｂ，５ｃ，５ｄ、ドラムクリーナ装置６ａ，６ｂ，６ｃ，６ｄがそれぞれ配置されており、一次帯電器３ａ，３ｂ，３ｃ，３ｄと現像装置４ａ，４ｂ，４ｃ，４ｄとの間の下方には、レーザー露光装置７が設置されている。
【００２３】
各現像装置４ａ，４ｂ，４ｃ，４ｄには、それぞれイエロートナー、シアントナー、マゼンタトナー、ブラックトナーが収納されている。
【００２４】
各感光ドラム２ａ，２ｂ，２ｃ，２ｄは、負帯電のＯＰＣ感光体でアルミニウム製のドラム基体上に光導電層を有しており、駆動装置（不図示）によって矢印方向（図１における時計回り方向）に所定のプロセススピードで回転駆動される。
【００２５】
一次帯電手段としての一次帯電器３ａ，３ｂ，３ｃ，３ｄは、帯電バイアス電源（不図示）から印加される帯電バイアスによって各感光ドラム２ａ，２ｂ，２ｃ，２ｄの表面を負極性の所定電位に均一に帯電する。
【００２６】
現像装置４ａ，４ｂ，４ｃ，４ｄは、トナーを内蔵し、それぞれ各感光ドラム２ａ，２ｂ，２ｃ，２ｄ上に形成される各静電潜像に各色のトナーを付着させてトナー像として現像（可視像化）する。
【００２７】
一次転写手段としての転写ローラ５ａ，５ｂ，５ｃ，５ｄは、各一次転写部３２ａ〜３２ｄにて中間転写ベルト８を介して各感光ドラム２ａ，２ｂ，２ｃ，２ｄに当接可能に配置されている。
【００２８】
ドラムクリーナ装置６ａ，６ｂ，６ｃ，６ｄは、感光ドラム２上で一次転写時の残留した転写残トナーを、該感光ドラム２から除去するためのクリーニングブレード等を有している。
【００２９】
中間転写ベルト８は、各感光ドラム２ａ，２ｂ，２ｃ，２ｄの上面側に配置されて、二次転写対向ローラ１０とテンションローラ１１間に張架されていて、該二次転写対向ローラ１０は、二次転写部３４において、中間転写ベルト８を介して二次転写ローラ１２と当接可能に配置されている。この中間転写ベルト８は、ポリカーボネート、ポリエチレンテレフタレート樹脂フィルム、ポリフッ化ビニリデン樹脂フィルム等のような誘電体樹脂によって構成されている。
【００３０】
又、この中間転写ベルト８は、感光ドラムム２ａ，２ｂ，２ｃ，２ｄとの対向面側に形成された一次転写面（８ｂ）を、二次転写ローラ１２側を下方にして傾斜配置してある。
【００３１】
即ち、中間転写ベルト８は、感光ドラム２ａ，２ｂ，２ｃ，２ｄの上面に移動可能に対向配置されて該感光ドラム２との対向面側に形成された一次転写面、即ち、下部平面８ｂを、二次転写部３４側が下方となるように傾斜配置されている。具体的には、この傾斜角度は約１５°に設定されている。又、中間転写ベルト８は、二次転写部３４側に配置されて該中間転写ベルト８に駆動力を付与する二次転写対向ローラ１０と、一次転写部３２ａ〜３２ｄを挟んで対向側に配置され、中間転写ベルト８に張力を付与するテンションローラ１１との２本で張架されている。
【００３２】
二次転写対向ローラ１０は、二次転写部３４にて中間転写ベルト８を介して二次転写ローラ１２と当接可能に配置されている。又、無端状の中間転写ベルト８の外側で、テンションローラ１１の近傍には、該中間転写ベルト８の表面に残った転写残トナーを除去して回収するベルトクリーニング装置（不図示）が設置されている。又、二次転写部３４よりも転写材Ｐの搬送方向の下流側には、定着ローラ１６ａと加圧ローラ１６ｂを有する定着装置１６が縦パス構成で設置されている。
【００３３】
露光装置７は、与えられる画像情報の時系列電気デジタル画素信号に対応した発光を行うレーザー発光手段、ポリゴンレンズ、反射ミラー等で構成され、各感光ドラム２ａ，２ｂ，２ｃ，２ｄに露光をすることによって、各一次帯電器３ａ，３ｂ，３ｃ，３ｄで帯電された各感光ドラム２ａ，２ｂ，２ｃ，２ｄの表面に画像情報に応じた各色の静電潜像を形成する。
【００３４】
次に、上記した画像形成装置による画像形成動作について説明する。
【００３５】
画像形成開始信号が発せられると、所定のプロセススピードで回転駆動される各画像形成部１Ｙ，１Ｍ，１Ｃ，１Ｂｋの各感光ドラム２ａ，２ｂ，２ｃ，２ｄは、それぞれ一次帯電器３ａ，３ｂ，３ｃ，３ｄによって一様に負極性に帯電される。そして、露光装置７は、外部から入力されるカラー色分解された画像信号をレーザー発光素子から照射し、ポリゴンレンズ、反射ミラー等を経由して各感光ドラム２ａ，２ｂ，２ｃ，２ｄ上に各色の静電潜像を形成する。
【００３６】
そして、先ず感光ドラム２ａ上に形成された静電潜像に、感光ドラム２ａの帯電極性（負極性）と同極性の現像バイアスが印加された現像装置４ａにより、イエローのトナーを付着させてトナー像として可視像化する。このイエローのトナー像は、感光ドラム２ａと転写ローラ５ａとの間の一次転写部３２ａにて、一次転写バイアス（トナーと逆極性（正極性））が印加された転写ローラ５ａにより、駆動されている中間転写ベルト８上に一次転写される。
【００３７】
イエローのトナー像が転写された中間転写ベルト８は、画像形成部１Ｍ側に移動される。そして、画像形成部１Ｍにおいても、前記と同様にして、感光ドラム２ｂに形成されたマゼンタのトナー像が、中間転写ベルト８上のイエローのトナー像上に重ね合わせて、一次転写部３２ｂにて転写される。
【００３８】
このとき、各感光体ドラム２上に残留した転写残トナーは、ドラムクリーナ装置６ａ，６ｂ，６ｃ，６ｄに設けられたクリーナブレード等により掻き落とされ、回収される。
【００３９】
以下、同様にして、中間転写ベルト８上に重畳転写されたイエロー、マゼンタのトナー像上に画像形成部１Ｃ，１Ｂｋの感光ドラム２ｃ，２ｄで形成されたシアン、ブラックのトナー像を各一次転写部３２ａ〜３２ｄにて順次重ね合わせて、フルカラーのトナー像を中間転写ベルト８上に形成する。
【００４０】
そして、中間転写ベルト８上のフルカラーのトナー像先端が、二次転写対向ローラ１０と二次転写ローラ１２間の二次転写部３４に移動されるタイミングに合わせて、給紙カセット１７又は手差しトレイ２０から選択されて搬送パス１８を通して給紙される転写材（用紙）Ｐがレジストローラ１９により二次転写部34に搬送される。二次転写部３４に搬送された転写材Ｐに、二次転写バイアス（トナーと逆極性（正極性））が印加された二次転写ローラ１２により、フルカラーのトナー像が一括して二次転写される。
【００４１】
フルカラーのトナー像が形成された転写材Ｐは、定着装置１６に搬送されて、定着ローラ１６ａと加圧ローラ１６ｂとの間の定着ニップ部でフルカラーのトナー像が加熱及び加圧されて転写材Ｐの表面に熱定着された後に、排紙ローラ２１によって本体上面の排紙トレイ２２上に排出されて一連の画像形成動作を終了する。尚、中間転写ベルト８上に残った二次転写残トナー等は、ベルトクリーニング装置（不図示）によって除去されて回収される。
【００４２】
以上が片面画像形成時の画像形成動作である。
【００４３】
図２は画像形成装置内の制御ブロック図である。１７１は画像形成装置の基本制御を行うＣＰＵであり、制御プログラムが書き込まれたＲＯＭ１７４と処理を行うためのワークＲＡＭ１７５、入出力ポート１７３がアドレスバス、データバスにより接続されている。入出力ポート１７３には、画像形成装置を制御する、モータ、クラッチ等の各種負荷（不図示）や、紙の位置を検知するセンサ等の入力（不図示）が接続されている。
【００４４】
ＣＰＵ１７１は、ＲＯＭ１７４の内容にしたがって入出力ポート１７３を介して順次入出力の制御を行い画像形成動作を実行する。又、ＣＰＵ１７１には操作部１７２が接続されており、操作部１７２の表示手段、キー入力手段を制御する。操作者はキー入力手段を通して、画像形成動作モードや、表示の切り替えをＣＰＵ１７１に指示し、ＣＰＵ１７１は、画像形成装置１００の状態や、キー入力による動作モード設定の表示を行う。ＣＰＵ１７１には、ＰＣ等の外部機器からの画像データ、処理データ等を送受信する外部Ｉ／Ｆ処理部４００、画像を伸張処理や一時的に蓄積処理等をする画像メモリー部３００、画像メモリー部３００から転送されたライン画像データを露光装置７に露光させるべく処理が行われる画像形成部２００が接続されている。
【００４５】
次に、図３に従って画像メモリ部３００の詳細について説明する。
【００４６】
画像メモリ部３００では、ＤＲＡＭ等のメモリで構成されるページメモリ３０１に、メモリコントローラ部３０２を介して外部Ｉ／Ｆ処理部４００から受け取った画像データを書き込み、画像形成部２への画像読み出し等の画像の入出力のアクセスを行う。
【００４７】
メモリコントローラ部３０２は、外部Ｉ／Ｆ処理部４００から受け取った外部機器からの画像データが圧縮データであるか否かの判断を行い、圧縮データであると判断された場合、圧縮データ伸張処理部３０３を用いて伸張処理を行った後、メモリコントローラ部３０２を介してページメモリ３０１へ書き込み処理がなされる。
【００４８】
メモリコントローラ部３０２は、ページメモリ３０１のＤＲＡＭリフレッシュ信号の発生を行い、又、画像Ｉ／Ｆ処理部４００からの書き込み、画像形成部２００への読み出しに対するページメモリ３０１へのアクセスの調停を行う。更に、ＣＰＵ１７１の指示に従い、ページメモリ３０１への書き込みアドレス、ページメモリ３０１からの読み出しアドレス、読み出し方向等の制御を行う。
【００４９】
図４に基づいて外部Ｉ／Ｆ処理部４００の構成について説明する。
【００５０】
外部Ｉ／Ｆ処理部４００では、外部装置５００から送信される画像データ及びプリントコマンドデータをＵＳＢ  Ｉ／Ｆ部４０１、セントロＩ／Ｆ部４０２、ネットワークＩ／Ｆ部４０３の何れかを介して受信したり、又、ＣＰＵ１７１で判断された画像形成装置の状態情報等を外部装置５００に対し送信する。ここで、外部装置５００は、コンピュータやワークステーション等である。
【００５１】
外部装置５００からＵＳＢ  Ｉ／Ｆ部４０１、セントロＩ／Ｆ部４０２、ネットワークＩ／Ｆ部４０３の何れかを介して受信したプリントコマンドデータはＣＰＵ１７１にて処理され、プリント動作を画像形成部２００や図２のＩ／Ｏ１７３等を用いてプリント動作を実行し、設定やタイミングを生成する。
【００５２】
外部装置５００からＵＳＢ  Ｉ／Ｆ部４０１、セントロＩ／Ｆ部４０２、ネットワークＩ／Ｆ部４０３の何れかを介して受信した画像データは、プリントコマンドデータに基づくタイミングに応じて画像メモリ部３００に送信され、画像形成部２００にて画像形成されるべく処理される。
【００５３】
次に、本実施の形態で行うトナー濃度調整動作について説明する。
【００５４】
本実施の形態に係る画像形成装置では、現像装置４ａ，４ｂ，４ｃ，４ｄ内のトナーとキャリアを混合した２成分現像剤を使用する現像方式を採用している。このような２成分現像剤を使用する場合には、現像装置内のトナーとキャリアの比率（Ｔ／Ｃ比）を常に一定に保つことが高画質を維持するために必要である。そのための手段としてトナー濃度調整を行っている。
【００５５】
図５に本実施の形態におけるトナー濃度調整動作の制御図を示す。
【００５６】
トナー濃度調整は大きく２つの動作に分かれている。１つがビデオカウントを用いたブロック補給動作５１０であり、もう１つがパッチ画像の測定によるパッチ検ＡＴＲ（Auto Toner Reduction）５２０である。
【００５７】
ブロック補給動作５１０では、プリント動作を行う毎に画像データから各色のドット数（ビデオカウント数）を測定し（５１１）、そこから消費されたトナー量を計算する（５１２）。その後、パッチ検ＡＴＲの結果と合わせて、現像器４ａ，４ｂ，４ｃ，４ｄ内に最適な量のトナーを補給する。
【００５８】
パッチ検ＡＴＲ５２０は、搬送ベルト上にトナーパッチ（濃度パッチ）画像を形成し、濃度検知センサで読み取った濃度値に基づいて現像器へのトナー補給量を補正することにより、ブロック補給動作のみよりも精度良く現像器内のＴ／Ｃ比を一定に保つものである。
【００５９】
パッチ検ＡＴＲは、ＣＰＵ１７１がパッチ検ＡＴＲを実行するタイミングであると判断した場合に実行される。ＣＰＵ１７１は、前述のように画像データから求めたビデオカウント数を色毎に積算しており、何れか１つの色がパッチ検ＡＴＲ実行閾値を超えた時点でパッチ検ＡＴＲを実行する（図６）。
【００６０】
ＣＰＵ１７１は、パッチ検ＡＴＲを実行するタイミングであると判断した場合、画像形成装置の各ユニットを制御して中間転写ベルト８上に濃度パッチを形成する。ここで、濃度パッチの形成は、感光ドラム（不図示）上に形成する構成も考えられるが、その場合には各感光ドラムに対して濃度検知センサが必要となるため、本実施の形態においては、濃度センサの数の低減を図るため、中間転写ベルト８上に濃度パッチを形成し、１つの濃度検知センサで全色の濃度パッチを検知する構成とする。濃度検知センサは、濃度パッチを光源で照射し、反射光強度を受光センサで検知する。その反射光強度の信号はＡ／Ｄ変換手段（不図示）でＡ／／Ｄ変換された後、ＣＰＵ１７１で処理される。
【００６１】
次に、ＣＰＵ１７１で処理され、求められたパッチ画像濃度と各色毎に予め設定された目標値と比較する（５２４）。パッチ画像濃度が目標値よりも濃い場合は、現像装置４ａ，４ｂ，４ｃ，４ｄ内のＴ／Ｃ比が最適値に比べて高いことを意味し、パッチ画像濃度が目標値よりも薄い場合は、現像装置４ａ，４ｂ，４ｃ，４ｄ内のＴ／Ｃ比が最適値に比べて低いことを意味している。そこで、パッチ画像濃度と目標値との差に応じてトナー補給量の補正値を計算し（５２４）、ビデオカウントから求めたブロック補給量と合わせてトナー補給を行う（５３０）ことにより、現像器４ａ，４ｂ，４ｃ，４ｄ内のＴ／Ｃ比を最適に保つことが可能となる。
【００６２】
次に、図７にて実施の形態の画像調整を行う対象の色について説明する。
【００６３】
図７（ａ）は常に全色を用いて画像調整をする制御で、このような制御を行うとＢｋのみで印字する機会が圧倒的に多い使用環境下においても、常に全色について基準パターンを作成して画像安定化調整を実行するため、カラー用トナーを無駄に消費してしまうという問題と、画像調整の度に、カラーの現像や一次帯電の高圧立ち上げ作業を行わなければならず、立ち上げ時間だけ調整処理時間をロスしてしまい、ダウンタイムが増大してしまう。
【００６４】
図７（ｂ）は画像形成の色モードの切り替え毎に全色に対して画像調整をするもので、形成画像がモノクロ、カラー混載の場合等には、特に無駄にトナーを消費してしまう。
【００６５】
そこで、本実施の形態では、画像調整を行う場合は、その直前の画像形成の色モードに応じて、画像調整を行う色を決定する。図７（ｃ）のように、Ｂｋのみでの画像形成がされている場合は、図８（ａ）のようにＢｋのみのビデオカウント数が積算され閾値を超え、画像調整を行うタイミングが来た際７０１に、Ｂｋのみに対して画像調整を行うようにすることで、カラーの現像や一次帯電の立ち上げ作業で生じるダウンタイムを削減する。そして、画像調整が行われたＢｋのビデオカウント数は、リセットされ再び画像形成の度にカウントされていく。
【００６６】
図７（ｄ）、全色を用いて画像形成をしている際に、各色毎に積算されるビデオカウント数の何れかが所定の閾値を超え、画像調整を行うタイミングが来た場合には、本実施系では全色に対して画像形成を行う。
【００６７】
図７（ｅ）は実施系での画像形成終了後に画像調整を行う場合を表す図で、図８のようにビデオカウント数が所定の閾値を超え、画像調整を行うタイミングが来た際７０２（図７）には、たとえＢｋでの画像形成終了後でも全色に対し、画像調整を行うため、パッチ画像を形成するために、Ｂｋ色以外の現像や一次帯電の高圧立上作業を行い、画像調整処理を行う。このような制御を行うことで、次の画像形成処理に備えることができる。
【００６８】
このように、本実施の形態では、画像形成処理途中の紙間での画像調整を行う際には、直前の画像形成処理の色モードに応じて、画像調整を行う色を設定することで、現像や一次帯電の高圧立上作業に掛かる時間を抑え、ダウンタイムを削減することができる。又、全色を用いて行われた画像形成処理終了後の画像調整の際には、全色に対して画像調整を行い、次の画像形成処理に備える。
【００６９】
本実施の形態では、画像調整を行うタイミングとして、形成画像の画素数をカウントして制御する系について記述したが、画像形成回数をカウントして調整制御をするか否かを判断する制御を行う画像形成装置も同様である。
【００７０】
又、本実施の形態では、調整制御の内容として、現像器内のトナー濃度を調整する系について記述したが、画像形成装置にて形成される形成画像の濃度調整する画像形成装置も同様である。
【図面の簡単な説明】
【００７１】
【図１】本発明が適用された画像形成装置の側断面図である。
【図２】画像形成装置内の制御ブロック図である。
【図３】画像メモリ部を示す図である。
【図４】外部Ｉ／Ｆ処理部を示す図である。
【図５】本実施系におけるトナー濃度調整動作フロー図である。
【図６】本実施系におけるトナー濃度調整の実施タイミングの概略図である。
【図７】本実施系における画像形成とトナー濃度調整の実施色の概略図である。
【図８】本実施系におけるトナー濃度調整の実施タイミングの概略図である。
【符号の説明】
【００７２】
１Ｙ，１Ｍ，１Ｃ，１Ｂｋ  画像形成部
２ａ，２個，２ｃ，２ｄ    感光ドラム（像担持体）
３ａ，３ｂ，３ｃ，３ｄ    一次帯電器（帯電手段）
４ａ，４ｂ，４ｃ，４ｄ    現像装置（現像手段）
５ａ，５ｂ，５ｃ，５ｄ    転写ローラ（一次転写手段）
６ａ，６ｂ，６ｃ，６ｄ    ドラムクリーナ装置（クリーナ手段）
７        露光装置（露光手段）
７ａ     下面
７ｂ     下端部
８        中間転写ベルト
８ａ     最上面
８ｂ     下部平面（一次転写面）
１０     二次転写対向ローラ
１１     テンションローラ
１２     二次転写ローラ（二次転写手段）
１６     定着装置（定着手段）
１６ａ   定着ローラ
１６ｂ   加熱ローラ
１７     給紙カセット
１８     搬送パス
２１     排紙ローラ（排出手段）
２２     排紙トレイ
３０     トナー容器
３１     挟持部（加熱加圧位置）
３２ａ，３２ｂ，３２ｃ，３２ｄ    一次転写部
３４      二次転写部
【図１】
2006119504.tif 000003
【図２】
2006119504.tif 000004
【図３】
2006119504.tif 000005
【図４】
2006119504.tif 000006
【図５】
2006119504.tif 000007
【図６】
2006119504.tif 000008
【図７】
2006119504.tif 000009
【図８】
2006119504.tif 000010